(57)【要約】【課題】  ステップ部材の水平なステップ面に対して支持枠を垂直姿勢から広い挟角の傾斜した姿勢にも設定できるようにする。【解決手段】  左右一対の支柱３の上部と上下中途部とを上連結材４と中途連結材５とで連結しかつ上部にフック形状の引っ掛け材６を設けた支持枠Ａと、この支持枠Ａの上下中途部に連結されたステップ具Ｂとを有する。前記ステップ具Ｂは、後部が中途連結材５に連結されかつ上面がステップ面７ａになっているステップ部材７と、中途連結材５より下方で両端部が左右支柱３に嵌脱自在に装着される装着部材８と、この装着部材８と前記ステップ部材７の前部とを連結する支え部材９とを有しており、前記左右支柱３の下部に装着部材８の上下位置を複数段に設定する位置設定部Ｃを形成する。【選択図】図１
2020169490.tif 000002
【特許請求の範囲】
【請求項１】
左右一対の支柱（３）の上部と上下中途部とを上連結材（４）と中途連結材（５）とで連結しかつ上部にフック形状の引っ掛け材（６）を設けた支持枠（Ａ）と、この支持枠（Ａ）の上下中途部に連結されたステップ具（Ｂ）とを有する吊り下げステップであって、
前記ステップ具（Ｂ）は、後部が中途連結材（５）に連結されかつ上面がステップ面（７ａ）になっているステップ部材（７）と、中途連結材（５）より下方で両端部が左右支柱（３）に嵌脱自在に装着される装着部材（８）と、この装着部材（８）と前記ステップ部材（７）の前部とを連結する支え部材（９）とを有しており、
前記左右支柱（３）の下部に装着部材（８）の上下位置を複数段に設定する位置設定部（Ｃ）を形成していることを特徴とする吊り下げステップ。
【請求項２】
前記位置設定部（Ｃ）は、ステップ部材（７）のステップ面（７ａ）に対して左右支柱（３）が略垂直になる位置に装着部材（８）の上下位置を設定する第１の位置設定部（Ｃ１）と、ステップ部材（７）のステップ面（７ａ）に対して左右支柱（３）の上部が挟角９５〜１３５度になる位置に装着部材（８）の上下位置を設定する第２の位置設定部（Ｃ２）とを有することを特徴とする請求項１に記載の吊り下げステップ。
【請求項３】
前記位置設定部（Ｃ）は、中途連結材（５）より下方の左右各支柱（３）の下部に、環状突起を上下間隔をおいて複数箇所に形成していることを特徴とする請求項１又は２に記載の吊り下げステップ。
【請求項４】
前記ステップ具（Ｂ）において、ステップ部材（７）の後部は中途連結材（５）に嵌脱自在に連結されるステップフック部（７ｆ）を有し、装着部材（８）の両端部は左右支柱（３）に嵌脱自在に嵌合する装着フック部（８ｆ）を有し、支え部材（９）の後下部は装着部材（８）に嵌脱自在に嵌合する支えフック部（９ｆ）を有し、支え部材（９）の前上部はステップ部材（７）の前部と回動可能に連結されていることを特徴とする請求項１〜３のいずれかに記載の吊り下げステップ。
【発明の詳細な説明】
【技術分野】
【０００１】
本発明は、橋梁桁下の足場工、防護工を構築するのに利用できる吊り下げステップに関する。
【背景技術】
【０００２】
鋼橋現場塗装工、橋梁補修補強工、橋梁の上下面増厚工等においては、橋梁桁下に足場工、防護工を構築する必要があり、この足場にパネル式ユニットを並べて、作業床や作業側壁を構築している。そして、前記パネル式ユニットを空中で並べかつ連結する設置作業のためには、ケーブルやパイプ枠体を空中に仮設し、そのケーブルやパイプ枠体に足場工作業用のステップ（足場）を吊り下げる必要がある。
【０００３】
このような吊り下げるステップに利用可能な作業用足場として、特許文献１の技術がある。この作業用足場は、「壁面に複数のステップが設けられた場所で使用する作業用足場であって、前記ステップの一部に取り付け可能なフックを有する支持フレームと、この支持フレームの一面に対して回転中心を中心として回動して開閉自在に設置される作業板と、支持フレームと作業板とを連結させた綱材と、この綱材が巻き付けられて前記支持フレームと前記作業板とを閉じた状態にする滑車と、を備え、前記支持フレームは、補助用フックをさらに備え、前記補助用フックは、前記支持フレームの前記作業板の設置面とは反対側に位置する一面に突出するように設けられ、その突出長さ及びその突出角度の少なくとも一方は調整自在となっており、前記フック及び補助用フックを前記ステップの一部に取り付けて、前記滑車を回転させて前記綱材が緩むように繰り出すことにより、前記作業板を前記支持フレームに対して所定角度に開いた状態で設置するとともに、前記支持フレームの前記作業板の設置面とは反対側に位置する一面を前記複数のステップに当接させた状態で使用することを特徴とする（請求項１）」としている。
【先行技術文献】
【特許文献】
【０００４】
【特許文献１】特許第４５０５４３３号公報
【発明の概要】
【発明が解決しようとする課題】
【０００５】
前記従来技術においては、支持フレームは上部のフックを仮設のケーブルやパイプ枠体に引っ掛けて鉛直姿勢にし、その支持フレームに対して作業板を垂直にして、作業板の上面を略水平姿勢にすることができ、また、綱材で支持フレーム上部と作業板の挟角を垂直より小さくすることができるが、支持フレーム上部と作業板の挟角を垂直より広くすることはできなく、仮設のケーブルやパイプ枠体が鉛直姿勢から傾斜している場合には、作業用足場を吊り下げ利用するとこは困難になっている。
【０００６】
本発明は、このような従来技術の問題点を解決できるようにした吊り下げステップを提供することを目的とする。
本発明は、ステップ部材の水平なステップ面に対して支持枠を垂直姿勢から広い挟角の傾斜した姿勢にも設定できる吊り下げステップを提供することを目的とする。
【課題を解決するための手段】
【０００７】
本発明における課題解決のための具体的手段は、次の通りである。
第１に、左右一対の支柱３の上部と上下中途部とを上連結材４と中途連結材５とで連結しかつ上部にフック形状の引っ掛け材６を設けた支持枠Ａと、この支持枠Ａの上下中途部に連結されたステップ具Ｂとを有する吊り下げステップであって、
前記ステップ具Ｂは、後部が中途連結材５に連結されかつ上面がステップ面７ａになっているステップ部材７と、中途連結材５より下方で両端部が左右支柱３に嵌脱自在に装着される装着部材８と、この装着部材８と前記ステップ部材７の前部とを連結する支え部材９とを有しており、
前記左右支柱３の下部に装着部材８の上下位置を複数段に設定する位置設定部Ｃを形成していることを特徴とする。
【０００８】
第２に、前記位置設定部Ｃは、ステップ部材７のステップ面７ａに対して左右支柱３が略垂直になる位置に装着部材８の上下位置を設定する第１の位置設定部Ｃ１と、ステップ部材７のステップ面７ａに対して左右支柱３の上部が挟角１００〜１３５度になる位置に装着部材８の上下位置を設定する第２の位置設定部Ｃ２とを有することを特徴とする。
第３に、前記位置設定部Ｃは、中途連結材５より下方の左右各支柱３の下部に、環状突起を上下間隔をおいて複数箇所に形成していることを特徴とする。
【０００９】
第４に、前記ステップ具Ｂにおいて、ステップ部材７の後部は中途連結材５に嵌脱自在に連結されるステップフック部７ｆを有し、装着部材８の両端部は左右支柱３に嵌脱自在に嵌合する装着フック部８ｆを有し、支え部材９の後下部は装着部材８に嵌脱自在に嵌合する支えフック部９ｆを有し、支え部材９の前上部はステップ部材７の前部と回動可能に連結されていることを特徴とする。
【発明の効果】
【００１０】
本発明によれば、ステップ部材の水平なステップ面に対して支持枠を垂直姿勢から広い挟角の傾斜した姿勢にも設定でき、支持枠を傾斜姿勢で吊り下げておくことができる。
即ち、請求項１に係る発明は、左右支柱３の下部に装着部材８の上下位置を複数段に設定する位置設定部Ｃを形成しているので、装着部材８の上下位置を変更して、支え部材９の後下部の高さを変更する、即ち、ステップ部材７のステップ面７ａに対する左右支柱３の垂直姿勢と傾斜姿勢とを変更することができ、支持枠Ａを鉛直姿勢だけでなく鉛直から広い挟角の傾斜姿勢でも設定でき、支持枠Ａを傾斜姿勢で吊り下げることができる。
【００１１】
請求項２に係る発明は、位置設定部Ｃは、ステップ部材７のステップ面７ａに対して左右支柱３が略垂直になる位置に装着部材８の上下位置を設定する第１の位置設定部Ｃ１と、ステップ部材７のステップ面７ａに対して左右支柱３の上部が挟角９５〜１３５度になる位置に装着部材８の上下位置を設定する第２の位置設定部Ｃ２とを有するので、ステップ部材７のステップ面７ａに対する左右支柱３の垂直姿勢以外の傾斜姿勢にも変更することができ、支持枠Ａを鉛直姿勢だけでなく鉛直から傾斜した姿勢でも吊り下げることができる。
【００１２】
請求項３に係る発明は、位置設定部Ｃは、中途連結材５より下方の左右各支柱３の下部に、環状突起を上下間隔をおいて複数箇所に形成しているので、位置設定部Ｃを２段、３段に簡単に形成することができる。
請求項４に係る発明は、ステップ具Ｂは、ステップ部材７の後部にステップフック部７ｆを有し、装着部材８の両端部に装着フック部８ｆを有し、支え部材９の後下部に支えフック部９ｆを有するので、支え部材９を支持枠Ａと別個に構成して支持枠Ａに着脱することができ、支え部材９の前上部はステップ部材７の前部と回動可能に連結されているので、支え部材９とステップ部材７との挟角を変更することができる。
【図面の簡単な説明】
【００１３】
【図１】本発明の実施形態を示す全体斜視図である。
【図２】吊り下げステップの六面図であって、図２（Ａ）は正面図、図２（Ｂ）は右側面図、図２（Ｃ）は左側面図、図２（Ｄ）は背面図、図２（Ｅ）は平面図、図２（Ｆ）は底面図である。
【図３】吊り下げステップの要部を示しており、図３（Ａ）は正面図、図３（Ｂ）は右側面図である。
【図４】図２（Ｂ）のＸ−Ｘ線断面図である。
【図５】図２（Ａ）のＹ−Ｙ線断面図である。
【図６】図２（Ａ）のＺ−Ｚ線断面図である。
【図７】図２（Ａ）のＷ−Ｗ線断面図である。
【図８】支持枠が傾斜姿勢の吊り下げステップを示す正面図である。
【図９】支持枠が鉛直姿勢で長いステップ具を備えた吊り下げステップの正面図である。
【図１０】支持枠が傾斜姿勢で長いステップ具を備えた吊り下げステップの正面図である。
【発明を実施するための形態】
【００１４】
以下、本発明の実施の形態を図面に基づいて説明する。
図１〜８において、橋梁桁下にパネル式ユニットを並べて、作業床や作業側壁を構築するために、上下ケーブル（又はパイプ枠体）１３Ｕ、１３Ｄを空中に仮設し、その上ケーブル１３Ｕに吊り下げた吊り下げステップ１を示している。
吊り下げステップ１は大別して、左右一対の支柱３の上部と上下中途部とを上連結材４と中途連結材５とで連結しかつ上部にフック形状の引っ掛け材６を設けた支持枠Ａと、この支持枠Ａの上下中途部に連結されたステップ具Ｂとを有する。
【００１５】
なお、一対の支柱３は上下方向に長く配置され、左右に見て左右一対と称し、ステップ具Ｂは支柱３側を後部、支柱３から離れた端部を前部と称する。
前記支持枠Ａの左右各支柱３は円筒材（パイプ材）で形成され、その上部を上連結材４で連結し、この上連結材４の背面に台板１４を介して左右一対の引っ掛け材６を固定（溶着）している。
【００１６】
左右各支柱３の下部（中途部でもよい。）には下ケーブル１３Ｄ等に当接する当接体１５が設けられ、上下方向中途部には上連結材４と平行な中途連結材５が固着されている。この中途連結材５は水平な円柱１６ａの両端に軸線が縦方向の円筒１６ｂを固着し、この両円筒１６ｂを左右支柱３に嵌合して固定されている。
前記支持枠Ａの左右各支柱３の下部には上下方向複数段の位置設定部Ｃ（Ｃ１，Ｃ２，Ｃ３）が形成されている。
【００１７】
前記ステップ具Ｂは、後部が中途連結材５に連結されかつ上面がステップ面７ａになっているステップ部材７と、中途連結材５より下方で両端部が左右支柱３に嵌脱自在に装着される装着部材８と、この装着部材８と前記ステップ部材７の前部とを連結する支え部材９とを有している。
前記ステップ具Ｂのステップ部材７は、上面が断面鋸形状の型材１７ａ、１７ｂを前後に隣接し、両型材１７ａ、１７ｂの左右両端に断面コ字部材１７ｃを嵌合し、型材１７ａ及び断面コ字部材１７ｃの後部にアングル材１７ｄを宛がって平板状に構成し、アングル材１７ｄの背面に、中途連結材５に嵌脱自在に連結される左右一対のステップフック部７ｆを固定している。前記断面コ字部材１７ｃは上下面及び外面が長手方向に沿うリブによって凹凸形状になっている。
【００１８】
図３、４に示すごとく、ステップ部材７の上面のステップ面７ａは中途連結材５の円柱１６ａの上面より低く、又は略同一高さになっており、ステップフック部７ｆのフック深さは円柱１６ａの直径に略等しく、ステップ部材７に水平方向の力が加わっても、ステップフック部７ｆが円柱１６ａから離脱しないようになっている。
前記ステップ部材７の前部下面にはブラケット１８を介して支持軸１９が設けられ、この支持軸１９に支え部材９の前上部が回動可能に連結され、ステップ部材７と支え部材９とは挟角が変更自在、即ち、水平に配置させるべきステップ部材７に対して支え部材９の角度が変更可能であり、支持枠Ａからステップ具Ｂを離脱した場合に、ステップ部材７と支え部材９とを折り畳んでおけるようになっている。
【００１９】
前記支え部材９の後下部には装着部材８に嵌脱自在に嵌合する支えフック部９ｆを固定しており、この支えフック部９ｆも前記ステップフック部７ｆと同様に、フック深さは装着部材８の直径に略等しく、支え部材９に長手方向材の力が加わっても、支えフック部９ｆが装着部材８から離脱しないようになっている。
装着部材８は水平な円筒の両端に左右支柱３に嵌脱自在に嵌合する装着フック部８ｆを固定しており、この両装着フック部８ｆは支柱３の直径と略等しいフック深さを有し、支柱３に前側から嵌合して、上下方向で位置設定部Ｃ（Ｃ１，Ｃ２，Ｃ３）に当接して、下方向の移動が阻止される構成となっている。
【００２０】
左右各支柱３の下部の位置設定部Ｃ１，Ｃ２，Ｃ３は、支柱３に円筒材（パイプ材）を嵌合して固着（溶着）して環状突起としたものであり、環状突起の上下間隔は装着フック部８ｆが入る寸法であり、環状突起の上面が装着フック部８ｆと当接することにより、装着フック部８ｆの下降を阻止する。
装着部材８の装着フック部８ｆを第１の位置設定部Ｃ１に当接させた状態は、図１〜７に示すごとく、上下ケーブル（又はパイプ枠体）１３Ｕ、１３Ｄに吊り下げて鉛直姿勢になった支持枠Ａに対して、ステップ具Ｂのステップ部材７のステップ面７ａは垂直になり、水平に配置されるべきステップ部材７から見て、支柱３の上部の挟角は略９０度となる。
【００２１】
上下ケーブル１３Ｕ、１３Ｄが水平方向にずれている場合、前記挟角９０度の吊り下げステップ１では、ステップ部材７のステップ面７ａは水平姿勢にならなく、作業員は乗ることは困難になる。
装着部材８の装着フック部８ｆを嵌脱して第２の位置設定部Ｃ２に当接させると、図８に示すごとく、支持枠Ａは鉛直姿勢から傾斜し、水平に配置されるべきステップ部材７から見て、支柱３の上部の挟角は９０度より広い角度、例えば、挟角略１００度となり、支持枠Ａを傾斜させることになる。
【００２２】
橋梁桁下に作業側壁を構築するための仮設吊り下げステップ１は、支持枠Ａを鉛直姿勢にするよりも、支柱３の上部がステップ面７ａから離れる挟角略１００度程度の方が、ステップ面７ａ上での作業がし易く、また乗り降りも容易になる。
前記ステップ部材７のステップ面７ａに対する左右支柱３の上部の挟角は１００度以外の９５〜１３５度に設定することができ、希望の挟角になるように、第１の位置設定部Ｃ１に対して第２の位置設定部Ｃ２の位置が決定される。
【００２３】
また、前記挟角を９０度、１００度、１１０度等と３段階に設定することもでき、その場合は、挟角１１０度を設定する位置設定部Ｃ３を第３の位置設定部とする。
前記ステップ具Ｂは作業の内容等によって、ステップ面７ａが前後に短い（狭い）のがよい場合と長い（広い）のがよい場合とがある。例えば、２４０ｘ２８５ｍｍの短いステップ部材７を採用した実施形態を前記図１〜８に示しており、４００ｘ２８５ｍｍの長いステップ部材７を採用した変形例を図９〜１０に示している。
【００２４】
図９〜１０において、ステップ具Ｂはステップ部材７が前後に長い４００ｘ２８５ｍｍであり、それに伴って、支え部材９も前記実施形態のものよりも長いものが採用されている。支持枠Ａ、ステップ具Ｂの装着部材８、ステップフック部７ｆ、装着フック部８ｆ等は前記実施形態と同一である。
図９において、支持枠Ａは前記実施形態と同一であり、ステップ部材７及び支え部材９が長くなっているので、鉛直姿勢の左右支柱３の上部に対してステップ部材７のステップ面７ａが垂直（挟角略９０度）になるように、支え部材９の後下部の支えフック部９ｆは位置設定部Ｃ２に当接しており、この位置設定部Ｃ２が第１の位置設定部（垂直設定部）となっている。
【００２５】
そして、支え部材９の後下部の支えフック部９ｆを位置設定部Ｃ２から離脱させて、位置設定部Ｃ３（第２の位置設定部となる）に嵌合することにより、ステップ部材７のステップ面７ａを略水平に維持した状態で支柱３の上部がステップ面７ａに対して傾斜姿勢（挟角略１００度）になり、支持枠Ａは鉛直姿勢から傾斜した姿勢で上下ケーブル（又はパイプ枠体）１３Ｕ、１３Ｄに吊り下げることができる。
【００２６】
従って、ステップ面７ａが短いステップ具Ｂと長いステップ具Ｂとを用意しておけば、支持枠Ａを共通利用することができる。
なお、前記長いステップ部材７及び支え部材９を使用する場合において、支え部材９の後下部の支えフック部９ｆを位置設定部Ｃ１に嵌合することもでき、その場合は、ステップ面７ａを略水平に維持した状態で支柱３の上部がステップ面７ａに対して挟角略８８度になり、吊り下げステップ１として使用することは可能である。
【００２７】
前記ステップ部材７に対して支持枠Ａを垂直姿勢から傾斜させる組立は、地上において、支持枠Ａを鉛直姿勢にしておいて支え部材９の支えフック部９ｆを嵌脱して、ステップ部材７を傾斜させてセットし、吊り下げステップ１を上下ケーブル１３Ｕ、１３Ｄに吊り下げる。この吊り下げ状態で始めて、ステップ面７ａが水平になる。
なお、本発明は前記実施形態に限定されるものではなく、部材の形状、構成及び組み合わせ等を変更したりすることもできる。
【００２８】
例えば、ステップ部材７を１種類の長さのものしか使用しない場合は、位置設定部Ｃを２箇所にしたり、ステップ部材７の後部を中途連結材５に軸を介して枢支連結したりしてもよい。
左右支柱３の下部の位置設定部Ｃを、支柱３に円筒体を上下位置変更自在に嵌合しかつボルト固定可能に構成し、前記円筒体の上下位置を変更して位置設定部Ｃ１，Ｃ２，Ｃ３を形成するようにしてもよい。
【００２９】
支持枠Ａは、上連結材４と中途連結材５との間に、梯子の踏み桟になる横桟を複数本設けたり、左右支柱３の下部を横桟で連結したりしてもよい。
一対の引っ掛け材６を左右各支柱３の上端に取り付けたり、中途連結材５を水平なパイプで形成したりしてもよい。
【符号の説明】
【００３０】
１          吊り下げステップ
３          支柱
４          上連結材
５          中途連結材
６          引っ掛け材
７          ステップ部材
７ａ        ステップ面
７ｆ        ステップフック部
８          装着部材
８ｆ        装着フック部
９          支え部材
９ｆ        支えフック部
１３Ｄ      下ケーブル
１３Ｕ      上ケーブル
１４        台板
１５        当接体
１６ａ      円柱
１６ｂ      円筒
１７ａ、１７ｂ    型材
１７ｃ      断面コ字部材
１７ｄ      アングル材
１８        ブラケット
１９        支持軸
Ａ          支持枠
Ｂ          ステップ具
Ｃ（Ｃ１、Ｃ２、Ｃ３）    位置設定部
【図１】
2020169490.tif 000003
【図２】
2020169490.tif 000004
【図３】
2020169490.tif 000005
【図４】
2020169490.tif 000006
【図５】
2020169490.tif 000007
【図６】
2020169490.tif 000008
【図７】
2020169490.tif 000009
【図８】
2020169490.tif 000010
【図９】
2020169490.tif 000011
【図１０】
2020169490.tif 000012